【手続補正書】
【提出日】平成26年7月3日(2014.7.3)
【手続補正１】
【補正対象書類名】特許請求の範囲
【補正対象項目名】全文
【補正方法】変更
【補正の内容】
【特許請求の範囲】
【請求項１】
第１の基地局と、前記第１の基地局に隣接する第２の基地局と、前記第１の基地局と前記第２の基地局の間を移動可能であり、前記第１の基地局および前記第２の基地局と無線通信を行う移動局と、前記第１の基地局および前記第２の基地局と通信接続された中央制御装置とを備えた無線通信システムであって、
前記第１の基地局と前記移動局との間の距離である第１の距離を計測する第１の距離計測部と、
前記第２の基地局と前記移動局との間の距離である第２の距離を計測する第２の距離計測部と、
前記第１の距離に基づき、前記第１の基地局からの第１の送信波の、前記移動局における位相である第１の位相を算出する第１の位相算出部と、
前記第２の距離に基づき、前記第２の基地局からの第２の送信波の、前記移動局における位相である第２の位相を算出する第２の位相算出部と、
前記第１の位相および前記第２の位相の位相差を算出する位相差算出部と、
前記第２の基地局からの第２の送信波の、前記移動局における受信信号強度を測定する受信信号強度測定部と、
前記第２の送信波の受信信号強度が所定の第１の値以上となり、かつ、前記第２の距離が所定の第１の値以下になったとき、あるいは、前記第２の送信波の受信信号強度が所定の第２の値未満となり、かつ、前記第２の距離が所定の第２の値より大きくなったときに、前記第２の位相と前記第１の位相との位相差に基づき、前記第２の基地局から前記移動局へ送信する第２の送信波の位相を変更する位相変更部とを備えることを特徴とする無線通信システム。
【請求項２】
前記中央制御装置は、前記第１の基地局および前記第２の基地局に対してそれぞれ、距離計測指示情報を送信し、
前記第１の基地局および前記第２の基地局は、前記中央制御装置から受信した距離計測指示情報に基づき、前記移動局に対してそれぞれ、距離計測要求情報を送信し、
前記移動局は、前記距離計測要求情報を受信すると、前記第１の基地局および前記第２の基地局に対してそれぞれ、距離計測応答情報を送信し、
前記第１の基地局および前記第２の基地局は、前記移動局から受信した距離計測応答情報に基づき、前記中央制御装置に対してそれぞれ、距離計測終了情報を送信し、
前記第１の基地局および前記第２の基地局は、前記距離計測要求情報を送信してから前記距離計測応答情報を受信するまでに要した時間に基づき、それぞれ、前記第１の距離および前記第２の距離を算出することを特徴とする、請求項１記載の無線通信システム。
【請求項３】
前記距離計測要求情報を送信してから前記距離計測応答情報を受信するまでに要した時間は、前記中央制御装置が距離計測指示情報を送信してから距離計測終了情報を受信するまでの時間に基づき、前記中央制御装置で算出され、前記第１の基地局および前記第２の基地局へ送信されたものであることを特徴とする、請求項２記載の無線通信システム。
【請求項４】
前記距離計測要求情報を送信してから前記距離計測応答情報を受信するまでに要した時間は、前記第１の基地局および前記第２の基地局で算出されたものであることを特徴とする、請求項２記載の無線通信システム。
【請求項５】
前記第２の基地局は、前記移動局へ送信する送信波の位相を変更する位相変更機能を備え、前記第１の基地局は、前記移動局へ送信する送信波の位相が固定されていることを特徴とする、請求項１〜４のいずれか１項に記載の無線通信システム。
【請求項６】
前記位相変更機能を備える第２の基地局と、前記移動局へ送信する送信波の位相が固定されている第１の基地局を、それぞれ複数備え、前記第２の基地局と前記第１の基地局が交互に直列に配置されていることを特徴とする、請求項１〜５のいずれか１項に記載の無線通信システム。
【請求項７】
第１の基地局と、前記第１の基地局に隣接する第２の基地局と、前記第１の基地局から前記第２の基地局の方へ移動し、前記第１の基地局および前記第２の基地局と無線通信を行う移動局と、前記第１の基地局および前記第２の基地局と通信接続された中央制御装置とを備えた無線通信システムであって、
前記第１の基地局は、前記移動局との間の距離である第１の距離を計測し、該計測した距離に基づき、前記第１の基地局からの第１の送信波の前記移動局における位相である第１の位相を算出して前記中央制御装置へ送信し、
前記第２の基地局は、前記移動局との間の距離である第２の距離を計測し、該計測した距離に基づき、前記第２の基地局からの第２の送信波の前記移動局における位相である第２の位相を算出し、
前記中央制御装置は、前記第１の基地局から受信した前記第１の位相を、前記第２の基地局へ送信し、
前記移動局は、前記第２の基地局からの第２の送信波の受信信号強度を測定して、該測定した受信信号強度情報を前記第２の基地局へ送信し、
前記第２の基地局は、前記移動局から受信した受信信号強度が所定値以上となり、かつ、前記第２の距離が所定値以下になったときに、前記第２の位相と前記中央制御装置から受信した前記第１の位相との位相差に基づき、前記移動局へ送信する送信波の位相を変更することを特徴とする無線通信システム。
【請求項８】
第１の基地局と、前記第１の基地局に隣接する第２の基地局と、前記第１の基地局と前記第２の基地局の間を移動可能であり、前記第１の基地局および前記第２の基地局と無線通信を行う移動局と、前記第１の基地局および前記第２の基地局と通信接続された中央制御装置とを備えた無線通信システムであって、
前記第１の基地局と前記移動局との間の距離である第１の距離を計測する第１の距離計測部と、
前記第２の基地局と前記移動局との間の距離である第２の距離を計測する第２の距離計測部と、
前記第１の距離に基づき、前記第１の基地局からの第１の送信波の、前記移動局における位相である第１の位相を算出する第１の位相算出部と、
前記第２の距離に基づき、前記第２の基地局からの第２の送信波の、前記移動局における位相である第２の位相を算出する第２の位相算出部と、
前記第１の位相および前記第２の位相の位相差を算出する位相差算出部と、
前記第２の基地局からの第２の送信波の、前記移動局における受信信号強度を測定する受信信号強度測定部と、
前記第２の送信波の受信信号強度が所定の第１の値以上となり、かつ、前記第２の距離が所定の第１の値以下になったとき、あるいは、前記第２の送信波の受信信号強度が所定の第２の値未満となり、かつ、前記第２の距離が所定の第２の値より大きくなったときに、前記第２の位相と前記第１の位相との位相差に基づき、前記第２の基地局から前記移動局へ送信する第２の送信波の位相を変更する位相変更部とを備えることを特徴とする無線通信システム。
【手続補正２】
【補正対象書類名】明細書
【補正対象項目名】００１３
【補正方法】変更
【補正の内容】
【００１３】
本願発明における無線通信システムの代表的な構成は、次のとおりである。すなわち、
第１の基地局と、前記第１の基地局に隣接する第２の基地局と、前記第１の基地局と前記第２の基地局の間を移動可能であり、前記第１の基地局および前記第２の基地局と無線通信を行う移動局と、前記第１の基地局および前記第２の基地局と通信接続された中央制御装置とを備えた無線通信システムであって、
前記第１の基地局と前記移動局との間の距離である第１の距離を計測する第１の距離計測部と、
前記第２の基地局と前記移動局との間の距離である第２の距離を計測する第２の距離計測部と、
前記第１の距離に基づき、前記第１の基地局からの第１の送信波の、前記移動局における位相である第１の位相を算出する第１の位相算出部と、
前記第２の距離に基づき、前記第２の基地局からの第２の送信波の、前記移動局における位相である第２の位相を算出する第２の位相算出部と、
前記第１の位相および前記第２の位相の位相差を算出する位相差算出部と、
前記第２の基地局からの第２の送信波の、前記移動局における受信信号強度を測定する受信信号強度測定部と、
前記第２の送信波の受信信号強度が所定の第１の値以上となり、かつ、前記第２の距離が所定の第１の値以下になったとき、あるいは、前記第２の送信波の受信信号強度が所定の第２の値未満となり、かつ、前記第２の距離が所定の第２の値より大きくなったときに、前記第２の位相と前記第１の位相との位相差に基づき、前記第２の基地局から前記移動局へ送信する第２の送信波の位相を変更する位相変更部とを備えることを特徴とする無線通信システム。
また、本願発明における無線通信システムの代表的な構成は、次のとおりである。すなわち、
第１の基地局と、前記第１の基地局に隣接する第２の基地局と、前記第１の基地局から前記第２の基地局の方へ移動し、前記第１の基地局および前記第２の基地局と無線通信を行う移動局と、前記第１の基地局および前記第２の基地局と通信接続された中央制御装置とを備えた無線通信システムであって、
前記第１の基地局は、前記移動局との間の距離である第１の距離を計測し、該計測した距離に基づき、前記第１の基地局からの第１の送信波の前記移動局における位相である第１の位相を算出して前記中央制御装置へ送信し、
前記第２の基地局は、前記移動局との間の距離である第２の距離を計測し、該計測した距離に基づき、前記第２の基地局からの第２の送信波の前記移動局における位相である第２の位相を算出し、
前記中央制御装置は、前記第１の基地局から受信した前記第１の位相を、前記第２の基地局へ送信し、
前記移動局は、前記第２の基地局からの第２の送信波の受信信号強度を測定して、該測定した受信信号強度情報を前記第２の基地局へ送信し、
前記第２の基地局は、前記移動局から受信した受信信号強度が所定値以上となり、かつ、前記第２の距離が所定値以下になったときに、前記第２の位相と前記中央制御装置から受信した前記第１の位相との位相差に基づき、前記移動局へ送信する送信波の位相を変更することを特徴とする無線通信システム。
また、本願発明における無線通信システムの代表的な構成は、次のとおりである。すなわち、
第１の基地局と、前記第１の基地局に隣接する第２の基地局と、前記第１の基地局と前記第２の基地局の間を移動可能であり、前記第１の基地局および前記第２の基地局と無線通信を行う移動局と、前記第１の基地局および前記第２の基地局と通信接続された中央制御装置とを備えた無線通信システムであって、
前記第１の基地局と前記移動局との間の距離である第１の距離を計測する第１の距離計測部と、
前記第２の基地局と前記移動局との間の距離である第２の距離を計測する第２の距離計測部と、
前記第１の距離に基づき、前記第１の基地局からの第１の送信波の、前記移動局における位相である第１の位相を算出する第１の位相算出部と、
前記第２の距離に基づき、前記第２の基地局からの第２の送信波の、前記移動局における位相である第２の位相を算出する第２の位相算出部と、
前記第１の位相および前記第２の位相の位相差を算出する位相差算出部と、
前記第２の基地局からの第２の送信波の、前記移動局における受信信号強度を測定する受信信号強度測定部と、
前記第２の送信波の受信信号強度が所定の第１の値以上となり、かつ、前記第２の距離が所定の第１の値以下になったとき、あるいは、前記第２の送信波の受信信号強度が所定の第２の値未満となり、かつ、前記第２の距離が所定の第２の値より大きくなったときに、前記第２の位相と前記第１の位相との位相差に基づき、前記第２の基地局から前記移動局へ送信する第２の送信波の位相を変更する位相変更部とを備えることを特徴とする無線通信システム。